(57)【要約】柔軟性のある可変レートボコーダと、これに関連する動作方法とが提供される。このボコーダは、少なくとも１つのネットワークパラメータおよび少なくとも１つの外部パラメータに対応して、ターゲット平均データレートを選択する。
2004505545.tif 000002
【特許請求の範囲】
【請求項１】
柔軟な可変レートボコーダであって、少なくともネットワークパラメータおよび少なくとも１つの外部パラメータに対応して、可能な目標レートの連続的または擬似連続的な範囲から目標平均データレートを選択する、レート決定モジュールと、送出フレームのレートを設定して、所定の期間で平均した実レートが目標平均データレートにほぼ等しくなるようにする、レート実現モジュールとを含む、ボコーダ。
【請求項２】
前記レート実現モジュールは、フルレート、ハーフレート、４分の１レート、８分の１レートのフレームである送出フレームの相対的な割合を調節して、平均実レートが目標平均レートにほぼ等しくなるようにするよう構成される、請求項１に記載のボコーダ。
【請求項３】
前記ネットワークパラメータは利用可能なネットワーク容量であり、前記外部パラメータは、ユーザが望むまたはユーザが購入するサービス種別の標識である、請求項１に記載のボコーダ。
【請求項４】
利用可能なサービス種別は、高級、標準および割安を含む、請求項１に記載のボコーダ。
【請求項５】
無線通信ネットワークにおいて、ネットワークサービスへの要求が受信されると、ネットワークが所望の品質で前記要求に適応できなければ、ネットワークは前記所望の品質で前記要求に適応できるまで高級以外のユーザすべてのＡＤＲを減少させる、請求項４に記載のボコーダ。
【請求項６】
無線通信ネットワークにおいて、ネットワークサービスへの要求が受信されると、ネットワークが所望の品質で前記要求に容易に適応できれば、ネットワークはこれを行なって、さらにネットワークが飽和近くになるまですべてのユーザのＡＤＲを増加させる、請求項４に記載のボコーダ。
【請求項７】
前記レート実現モジュールは、スイッチ、フルレートモジュール、ハーフレートモジュール、４分の１レートモジュール、８分の１レートモジュール、およびマルチプレクサを含み、前記スイッチは前記モジュール間を切換え、前記マルチプレクサは前記モジュールの各々からフレームを受取って前記フレームを信号線に順次出力する、請求項２に記載のボコーダ。
【請求項８】
前記ネットワークパラメータは利用可能な容量であり、前記外部パラメータは、送信するよう求められている情報の内容の標識である、請求項１に記載のボコーダ。
【請求項９】
送信され得る利用可能な内容の種別は、声、データ、音楽、画像または映像を含む、請求項８に記載のボコーダ。
【請求項１０】
無線通信ネットワークにおいて、ネットワークサービスへの要求が受信されると、ネットワークが所望の品質で追加の要求に適応できなければ、ネットワークは、前記所望の品質で前記要求に適応できるまで選択された内容の部類についてのＡＤＲを減少させる、請求項９に記載のボコーダ。
【請求項１１】
無線通信ネットワークにおいて、ネットワークサービスへの要求が受信されると、ネットワークが所望の要求に容易に適応できれば、ネットワークはこれを行ない、さらにネットワークが目標の飽和量内になるまで選択された内容の部類についてのＡＤＲを増加させる、請求項９に記載のボコーダ。
【請求項１２】
前記外部パラメータは１日における時間である、請求項１に記載のボコーダ。
【請求項１３】
前記外部パラメータは天気である、請求項１に記載のボコーダ。
【請求項１４】
送受信機、送信機または受信機内にある、請求項１に記載のボコーダ。
【請求項１５】
無線装置内にある、請求項１に記載の送受信機、送信機または受信機。
【請求項１６】
移動無線装置である、請求項１５に記載の無線装置。
【請求項１７】
固定式無線装置である、請求項１５に記載の無線装置。
【請求項１８】
ハンドセットである、請求項１６に記載の移動無線装置。
【請求項１９】
ネットワークサービスへの要求に対応する方法であって、
ネットワークサービスへの要求が開始されると、ネットワークが所望の品質レベルで前記要求に適応できるかどうかについて問合せるステップを含み、前記要求は、所望の品質レベル、または通信されるよう求められている内容の部類を含み、前記方法はさらに、
ネットワークが前記要求に適応できなければ、前記要求に前記所望のサービス品質で適応できるまでユーザのＡＤＲを選択的に減少させるステップと、
ネットワークが前記要求に適応できれば、前記所望の品質レベルで前記要求に適応するステップとを含む、方法。
【請求項２０】
ネットワークが前記所望の品質レベルで前記要求に適応できれば、ネットワークが所定の飽和量内になるまでユーザのＡＤＲを選択的に増加させるステップをさらに含む、請求項１９に記載の方法。
【請求項２１】
所望のサービス種別は、高級、標準および割安のサービス種別を含み、前記選択的に減少させるステップは、前記要求に前記所望の品質レベルで適応できるまで選択された種別のユーザのＡＤＲを減少させるステップを含む、請求項１９に記載の方法。
【請求項２２】
内容の種別は、声、データ、音楽、画像、および映像を含み、前記選択的に減少させるステップは、前記要求に前記所望の品質レベルで適応できるまで選択された内容の種別のＡＤＲを選択的に減少させるステップを含む、請求項１９に記載の方法。
【請求項２３】
選択された種別のユーザは高級以外のユーザを含む、請求項２１に記載の方法。
【請求項２４】
前記選択的に増加させるステップは、すべてのユーザのＡＤＲを増加させるステップを含む、請求項２０に記載の方法。
【請求項２５】
前記選択的に増加させるステップは、選択された種別のユーザのＡＤＲを増加させるステップを含む、請求項２０に記載の方法。
【請求項２６】
前記選択的に増加させるステップは、選択された内容の部類のＡＤＲを増加させるステップを含む、請求項２０に記載の方法。
【請求項２７】
柔軟な可変レートボコーダであって、少なくともネットワークパラメータまたは少なくとも１つの外部パラメータに対応して、可能な目標レートの連続的または擬似連続的な範囲から目標平均データレートを選択する、レート決定モジュールと、送出フレームのレートを設定することで、所定の期間での平均実レートが目標平均データレートにほぼ等しくなるようにする、レート実現モジュールとを含む、ボコーダ。
【発明の詳細な説明】
【０００１】
【発明の背景】
１．発明の分野
この発明は一般的に音声ボコーダに関し、より特定的には、無線通信システムで用いられる柔軟性のある可変レートボコーダに関する。
２．背景
デジタル無線通信システムにおいて、音声ボコーダとはデジタル化された音声信号を無線チャネルでの通信前に圧縮する装置のことである。音声信号に関して多くの異なった圧縮方式が現在用いられており、これにはパルス符号変調（Ｐｕｌｓｅ Ｃｏｄｅ Ｍｏｄｕｌａｔｉｏｎ：ＰＣＭ）、適応差分パルス符号変調（Ａｄａｐｔｉｖｅ Ｄｉｆｆｅｒｅｎｔｉａｌ Ｐｕｌｓｅ Ｃｏｄｅ Ｍｏｄｕｌａｔｉｏｎ：ＡＤＰＣＭ）、および拡張可変レートコーダ（Ｅｎｈａｎｃｅｄ Ｖａｒｉａｂｌｅ Ｒａｔｅ−Ｃｏｄｅｒ：ＥＶＲＣ）が含まれる。現在のところ、ボコーダが機能するレートはネットワーク設計者が課す制約を受ける。
【０００２】
たとえば現在ある商用の符号分割多重アクセス（Ｃｏｄｅ Ｄｉｖｉｓｉｏｎ Ｍｕｌｔｉｐｌｅ Ａｃｃｅｓｓ：ＣＤＭＡ）システムでは、ボコーダが機能するレートは４つの可能なレート、すなわちフルレート、ハーフレート、４分の１レート、または８分の１レートに制限される。フルレートでは、音声はフレーム当り１７０ビットで符号化され、ハーフレートではフレーム当り８０ビット、４分の１レートではフレーム当り４０ビット、８分の１レートではフレーム当り１６ビットで符号化される。フレーム期間が２０ミリ秒であれば、上記の数字はフルレートで８．５キロビット／秒ということになり、ハーフレートでは４キロビット／秒、４分の１レートでは２キロビット／秒、８分の１レートでは０．８キロビット／秒ということになる。一時に選ばれるレートはスピーチアクティビティのレベルに依存する。アクティビティの高いレベルではフルレートが選ばれ、アクティビティなし（たとえば無音の背景）の場合、８分の１レートが選ばれる。アクティビティが中間のレベルであればハーフレートまたは４分の１レートが選ばれる。８．５キロビット／秒を上回るレート、または０．８キロビット／秒を下回るレートは不可能である。特定の音声信号についてのビットレートはこの音声信号の性質に依存して変化するため、平均的なビットレートのみが関心の対象となる。平均的なビットレートは平均データレート（Ａｖｅｒａｇｅ Ｄａｔａ−Ｒａｔｅ：ＡＤＲ）とも呼ばれる。
【０００３】
近年になり、３つのモードのうち１つで動作できる選択可能モードボコーダ（Ｓｅｌｅｃｔａｂｌｅ Ｍｏｄｅ Ｖｏｃｏｄｅｒ：ＳＭＶ）が提案された。ここで完全に記載されているかのように引用により完全に援用される「選択可能モードボコーダの試験計画および要件（Ｔｅｓｔ Ｐｌａｎ ａｎｄ Ｒｅｑｕｉｒｅｍｅｎｔｓ ｏｆ ｔｈｅ Ｓｅｌｅｃｔａｂｌｅ Ｍｏｄｅ Ｖｏｃｏｄｅｒ）」バージョン８．０、３ＧＰＰ２−Ｃ１３−１９９９１９１２−００７Ｒ１を参照されたい。モード０では、ボコーダの目標ＡＤＲはＩＳ−１２７規格で規定されるＥＶＲＣ（拡張可変レートボコーダ）レートと同じである。モード１では、目標ＡＤＲはＥＶＲＣのおよそ０．７倍である。モード２では目標ＡＤＲはＥＶＲＣの０．５５〜０．６倍であり、暗騒音のない音声または暗騒音のある音声などの入力信号特性に依存する。ＳＭＶの動作モードは、システムで利用可能なネットワーク容量と所望のサービス品質との兼ね合いに基づいて操作員により決定されることが企図されている。
【０００４】
この手法の問題は、もしネットワークが所望の品質レベルでサービスへの要求に応じることができなければ、ユーザはシステムへのアクセスを拒否されてしまうことである。たとえば、ネットワークが飽和近くにある場合にユーザがシステムへのアクセスを求めていると考慮されたい。スピーチアクティビティの所望のレベルがモード０を必要としていれば、システムはモード０に適応できず、ユーザはシステムへのアクセスを拒否されることになる。
【０００５】
これに関連する問題として、利用可能な別個の動作モードの数が限られていることによる柔軟性の損失がある。この柔軟性の損失の結果、ユーザは上述のようにシステムへのアクセスを拒否される。さらにこの結果として収益の機会が失われることになるが、なぜなら、限られた数しかない別個の動作モードで利用可能であるよりも高いサービス品質のために出費を惜しまないユーザがいるであろうからである。
【０００６】
【発明の概要】
ここに概略的に記載するこの発明の一局面に従うと、少なくともネットワークパラメータおよび少なくとも１つの外部パラメータに対応して、可能な目標レートの連続的または擬似連続的な範囲から目標平均データレートを選択する、レート決定モジュールと、送出フレームのレートを設定して、所定の期間で平均した実レートを目標平均データレートとほぼ等しくする、レート実現モジュールとを含む、柔軟性のある可変レートボコーダが提供される。
【０００７】
一実施例においてレート実現モジュールは、フルレート、ハーフレート、４分の１レート、および８分の１レートのフレームである送出フレームの相対的割合を調節して送出フレームのレートを設定し、こうして平均実レートが目標平均レートとほぼ等しくなるようにする。
【０００８】
一実現例では、ネットワークパラメータは利用可能なネットワーク容量であり、外部パラメータは、ユーザが望む、またはユーザが購入するサービスの種別の標識である。一実現例で、利用可能なサービスの種別は、高級、標準および割安を含む。ネットワークサービスへの要求が受信されると、ネットワークが所望の品質で要求に適応できるかどうかの判断が行なわれる。ネットワークが所望の品質で要求に適応できない場合、ネットワークは、所望の品質で要求に適応できるまで高級以外のユーザすべてのＡＤＲを減少させる。ネットワークが所望の品質で要求に容易に適応できる場合、ネットワークはこれを行なって、さらにネットワークが飽和近くになるまですべてのユーザのＡＤＲを増加させ得る。この実現例では、高級のユーザのＡＤＲは相対的に高いレートから始まり、この後ネットワーク資源への要求に変化があってもこのままで留まる。標準のユーザのＡＤＲは相対的に中位のレートから始まり、この後にネットワーク資源への要求が変化すると時間の経過に伴って変化する。割安のユーザのＡＤＲは相対的に低く始まり、この後ネットワーク資源への要求が変化すると時間の経過につれて変化する。
【０００９】
別の実現例では、ネットワークパラメータは利用可能な容量であり、外部パラメータは送信を求められている情報の内容の標識である。一実現例で、送信され得る利用可能な内容の種別は、声、データ、音楽、または映像を含む。ネットワークサービスへの要求が受信されると、ネットワークが所望の品質でこの追加の要求に適応できるかどうかの判断が行なわれる。ネットワークがこれを行なうことができない場合、ネットワークは、所望の品質でこの要求に適応できるまで選択された内容の部類、すなわち音楽についてのＡＤＲを減少させる。ネットワークが所望の要求に容易に適応できる場合、ネットワークはこれを行ない、さらに選択された内容の部類、たとえば声およびデータについてＡＤＲを増加させ得る。
【００１０】
一実現例では、外部パラメータは１日における時間、天気などであり得る。さらに関連の動作方法が提供される。
【００１１】
【好ましい実施例の詳細な説明】
この発明に従う柔軟な可変レートボコーダの一実施例を図３で例示する。例示のように、この実施例でボコーダは、少なくともネットワークパラメータ７ａおよび少なくとも１つの外部パラメータ７ｂに対応して、可能な目標レートの連続的または擬似連続的な範囲から目標平均データレートを選択する、レート決定モジュール８と、送出フレームのレートを設定して、所定の期間で平均した実レートを目標平均データレートにほぼ等しくする、レート実現モジュール１８とを含む。
【００１２】
この開示では、モードまたはパラメータの範囲に関する「擬似連続的」という用語は、モードまたはパラメータの連続的な範囲に近似するほど十分に細かい、モードまたはパラメータの別個の範囲の組を意味する。
【００１３】
一実現例でレート実現モジュール１８は、フルレート、ハーフレート、４分の１レート、および８分の１レートのフレームである送出フレームの相対的な割合を調節して送出フレームのレートを設定し、こうして平均実レートが目標平均レートとほぼ等しくなるようにする。この実現例でレート実現モジュール１８は、スイッチ９、フルレートモジュール１０ａ、ハーフレートモジュール１０ｂ、４分の１レートモジュール１０ｃ、８分の１レートモジュール１０ｄ、およびマルチプレクサ１１を含む。マルチプレクサ１１はモジュール１０ａ、１０ｂ、１０ｃ、１０ｄの各々からフレームを受取り、これらを単一の線１２に順次出力する。
【００１４】
別の実現例では、レート実現モジュール１８はフルレート、ハーフレート、４分の１レート、および８分の１レートであるフレームの相対的な割合を設定することに限定されない。たとえばＩＴＵはＧ．７２９ＡｎｎｅｘＩを規格化しており、ここでは５つの符号化レート、すなわち１１．２キロビット／秒、８キロビット／秒、６．４キロビット／秒、１．５キロビット／秒、および０キロビット／秒が用いられる。これら５つの符号化レート内であるフレームの相対的な割合をレート実現モジュール１８が設定する実現例が可能である。加えて、ＧＳＭ適応マルチレート（Ａｄａｐｔｉｖｅ Ｍｕｔｉ−Ｒａｔｅ：ＡＭＲ）符号化システムで利用可能な８つの符号化レート内のフレームの相対的な割合をレート実現モジュール１８が設定する実現例が可能である。
【００１５】
一実現例では、ネットワークパラメータは利用可能なネットワーク容量であり、外部パラメータはユーザが望む、またはユーザが購入するサービスの種別の標識である。一実現例で、利用可能なサービス種別は、高級、標準および割安を含む。ネットワークサービスへの要求が受信されると、ネットワークが所望の品質で要求に適応できるかどうかの判断が行なわれる。ネットワークが所望の品質で要求に適応できなければ、ネットワークは、所望の品質で要求に適応できるまで高級以外のユーザすべてのＡＤＲを減少させる。ネットワークが所望の品質で要求に容易に適応できれば、ネットワークはこれを行なって、さらにネットワークが飽和近くになるまですべてのユーザのＡＤＲを増加させ得る。
【００１６】
この実現例では、高級のユーザのＡＤＲは相対的に高いレートから始まり、この後ネットワーク資源への要求が変化してもこのままで留まる。標準のユーザのＡＤＲは相対的に中位のレートから始まり、この後ネットワーク資源への要求が変化すると時間の経過につれて変化する。割安のユーザのＡＤＲは相対的に低く始まり、この後ネットワーク資源への要求が変化すると時間の経過につれて変化する。
【００１７】
この実現例で利用可能なサービス品質／容量の兼ね合いを、図２の曲線６で表わすことができる。高級のサービス種別で表わす最初のサービス品質／容量の兼ね合いは数６ａで、標準のサービス種別は数６ｂで、割安のサービス種別は数６ｃで表わすことができる。ネットワークサービスへの要求に変化が起こると、高級のユーザは曲線に沿って上昇することはあっても、下降することはない。標準のユーザは上昇または下降し得る。割安のユーザは上昇または下降し得る。これらの動きを図２の矢印で表わす。これらの動きのため、図２の曲線６の全体に沿った移動があり得る。この結果、サービス品質／容量の兼ね合いの連続的または擬似連続的な範囲が、ユーザにとって利用可能となる。
【００１８】
先行技術のＳＭＶボコーダと比較すると、図３のボコーダの利点はシステムへのアクセスを拒否されるユーザの数が減少することである。ユーザがシステムへのアクセスをリクエストする時に飽和近くにあるシステムを考慮されたい。システムがサービスの所望の品質レベルに適応できず、かつ既存のユーザが既にモード２に格下げされている場合、ユーザはシステムへのアクセスを拒否される。しかしこの発明のシステムでは、システムが新たなユーザに適応できるまで、高級以外のユーザのＡＤＲが落とされることになる。当然のことながら、このユーザもまた高級以外のユーザであれば、このユーザに割当てられるＡＤＲもまた、他の高級以外のユーザと共にその最初の名目的な値から落とされることになる。
【００１９】
先行技術のシステムと比較した別の利点は、モード０によって利用可能であるよりも高いサービス品質を望むユーザに適応できることである。従来のシステムでは、このようなサービスモードを利用することはできない。しかしこの発明のシステムでは、このようなサービス種別が利用可能となり得る。
【００２０】
別の実現例では、ネットワークパラメータは利用可能な容量であり、外部パラメータは送信を求められている情報の内容の標識である。一実現例では、送信され得る利用可能な内容の種別は声、データ、音楽、または映像を含む。ネットワークサービスへの要求が受信されると、ネットワークが所望の品質で追加の要求に適応できるかどうかの判断が行なわれる。ネットワークがこれを行なうことができない場合、ネットワークは、所望の品質で要求に適応できるまで、選択された内容の部類、すなわち音楽についてのＡＤＲを減少させる。ネットワークが所望の要求に容易に適応できる場合、ネットワークはこれを行なって、さらに選択された内容の部類、たとえば声およびデータについてのＡＤＲを増加させ得る。
【００２１】
別の実現例では、外部パラメータは１日における時間、天気などであり得る。
この発明に従う動作方法の一実施例を図４で例示する。このプロセスは、ネットワークサービスに対する要求の開始と共に始まる。一実現例では、要求は所望の品質レベル、たとえば高級、標準または割安を含む。別の実現例では、要求は送信を求められている内容の部類、たとえば声、データ、音楽、画像、映像、音響などを含み、これらの各々は１つ以上のルックアップ表を通じて所望の品質レベルと関連付けられる。プロセスはタスク１４に進み、ここでネットワークが所望の品質レベルで要求に適応できるかどうかが問合せられる。もしできなければ、プロセスはステップ１５に進み、このステップは、要求に所望のサービス品質で適応できるまで既存のユーザ（および典型的に新たなユーザもまた）のＡＤＲを選択的に減少させることを含む。一実現例では、このステップは高級以外のユーザのＡＤＲを減少させることによって行なわれる。別の実現例でこのステップは、選択された内容の部類、たとえば音楽およびデータのＡＤＲを減少させることで行なわれる。タスク１４に戻ると、要求に所望の品質レベルで適応できる場合、タスク１６が行なわれる。タスク１６は、所望の品質レベルで要求に適応することを含む。次に任意のステップ１７が行なわれるが、このステップは、ネットワーク負荷が飽和から所定の量、たとえば１０％以内になるまで、既存のユーザ（および典型的に新たなユーザもまた）のＡＤＲを選択的に増加させることを含む。一実現例でこのステップは、ユーザすべてのＡＤＲを増加させることで行なわれる。別の実現例でこのステップは、たとえば高級および標準のユーザなど選択された種別のユーザのＡＤＲを増加させることにより行なわれる。さらに別の実現例でこのステップは、選択された内容の部類、たとえば声およびデータのＡＤＲを増加させることで行なわれる。
【００２２】
この発明のボコーダは送受信機、送信機または受信機内に含まれ得るが、今度はこれらが無線装置内に含まれることがあり、これはハンドセットなどの移動無線装置、またはテレビのセットトップボックスなどの固定式無線装置を含む。
【００２３】
実施例および実現例を示して説明したが、この発明の範囲内にはさらに多くの実施例および実現例があると理解されるべきである。したがってこの発明は、前掲の特許請求の範囲およびその均等物への限定を除き、限定されるべきではない。
【図面の簡単な説明】
【図１】従来のネットワークで利用可能である、別個のサービス品質／容量の兼ね合いの選択肢を例示する図である。
【図２】この発明に従って構成されるネットワークで利用可能な、連続的または擬似連続的なサービス品質／容量の兼ね合いの選択肢を例示する図である。
【図３】この発明に従う柔軟な可変レートボコーダの一実施例を示す図である。
【図４】この発明に従う動作方法の一実施例を示す図である。
【図１】
2004505545.tif 000003
【図２】
2004505545.tif 000004
【図３】
2004505545.tif 000005
【図４】
2004505545.tif 000006
【国際公開パンフレット】
2004505545.tif 000007
2004505545.tif 000008
2004505545.tif 000009
2004505545.tif 000010
2004505545.tif 000011
2004505545.tif 000012
2004505545.tif 000013
2004505545.tif 000014
2004505545.tif 000015
2004505545.tif 000016
2004505545.tif 000017
2004505545.tif 000018
2004505545.tif 000019
2004505545.tif 000020
2004505545.tif 000021
【国際公開パンフレット（コレクトバージョン）】
2004505545.tif 000022
【手続補正書】
【提出日】平成14年10月7日(2002.10.7)
【手続補正１】
【補正対象書類名】明細書
【補正対象項目名】特許請求の範囲
【補正方法】変更
【補正の内容】
【特許請求の範囲】
【請求項１】
柔軟な可変レートボコーダであって、少なくとも１つのネットワークパラメータ（７ａ）および少なくとも１つの外部パラメータ（７ｂ）に対応して、可能な目標レート（１０ａ、１０ｂ、１０ｃ、１０ｄ）の連続的または擬似連続的な範囲から目標平均データレートを選択する、レート決定モジュール（８）と、送出フレームのレートを設定して、所定の期間で平均した実レートが目標平均データレートにほぼ等しくなるようにする、レート実現モジュール（１８）とを含み、
前記ネットワークパラメータ（７ａ）は利用可能なネットワーク容量であり、前記外部パラメータ（７ｂ）は、ユーザが望むまたはユーザが購入するサービス種別の標識である、ボコーダ。
【請求項２】
前記レート実現モジュール（１８）は、フルレート、ハーフレート、４分の１レート、８分の１レートのフレームである送出フレームの相対的な割合を調節して、平均実レートが目標平均レートにほぼ等しくなるようにするよう構成される、請求項１に記載のボコーダ。
【請求項３】
利用可能なサービス種別は、高級、標準および割安を含む、請求項１に記載のボコーダ。
【請求項４】
無線通信ネットワークにおいて、ネットワークサービスへの要求が受信されると、ネットワークが所望の品質で前記要求に適応できなければ、ネットワークは前記所望の品質で前記要求に適応できるまで高級以外のユーザすべての平均データレート（ＡＤＲ）を減少させる、請求項３に記載のボコーダ。
【請求項５】
無線通信ネットワークにおいて、ネットワークサービスへの要求が受信されると、ネットワークが所望の品質で前記要求に適応できれば、ネットワークはこれを行なって、さらにネットワークが飽和近くになるまですべてのユーザの平均データレート（ＡＤＲ）を増加させる、請求項３に記載のボコーダ。
【請求項６】
前記レート実現モジュール（１８）は、スイッチ（９）、フルレートモジュール（１０ａ）、ハーフレートモジュール（１０ｂ）、４分の１レートモジュール（１０ｃ）、８分の１レートモジュール（１０ｄ）、およびマルチプレクサ（１１）を含み、前記スイッチは前記モジュール間を切換え、前記マルチプレクサは前記モジュールの各々からフレームを受取って前記フレームを信号線に順次出力する、請求項２に記載のボコーダ。
【請求項７】
前記ネットワークパラメータ（７ａ）は利用可能な容量であり、前記外部パラメータ（７ｂ）は、送信するよう求められている情報の内容の標識である、請求項１に記載のボコーダ。
【請求項８】
送信され得る利用可能な内容の種別は、声、データ、音楽、画像または映像を含む、請求項７に記載のボコーダ。
【請求項９】
無線通信ネットワークにおいて、ネットワークサービスへの要求が受信されると、ネットワークが所望の品質で追加の要求に適応できなければ、ネットワークは、前記所望の品質で前記要求に適応できるまで選択された内容の部類についての平均データレート（ＡＤＲ）を減少させる、請求項８に記載のボコーダ。
【請求項１０】
無線通信ネットワークにおいて、ネットワークサービスへの要求が受信されると、ネットワークが所望の要求に容易に適応できれば、ネットワークはこれを行ない、さらにネットワークが目標の飽和量内になるまで選択された内容の部類についての平均データレート（ＡＤＲ）を増加させる、請求項８に記載のボコーダ。
【請求項１１】
前記外部パラメータ（７ｂ）は１日における時間である、請求項１に記載のボコーダ。
【請求項１２】
前記外部パラメータ（７ｂ）は天気である、請求項１に記載のボコーダ。
【請求項１３】
送受信機、送信機または受信機内にある、請求項１に記載のボコーダ。
【請求項１４】
無線装置内にある、請求項１に記載の送受信機、送信機または受信機。
【請求項１５】
移動無線装置である、請求項１４に記載の無線装置。
【請求項１６】
固定式無線装置である、請求項１４に記載の無線装置。
【請求項１７】
ハンドセットである、請求項１５に記載の移動無線装置。
【請求項１８】
ネットワークサービスへの要求に対応する方法であって、
ネットワークサービスへの要求が開始されると、ネットワークが所望の品質レベルで前記要求に適応できるかどうかについて問合せるステップを含み、前記要求は、所望の品質レベル、または通信されるよう求められている内容の部類を含み、前記方法はさらに、
ネットワークが前記要求に適応できなければ、前記要求に前記所望のサービス品質で適応できるまでユーザの平均データレート（ＡＤＲ）を選択的に減少させるステップと、
ネットワークが前記要求に適応できれば、前記所望の品質レベルで前記要求に適応するステップとを含む、方法。
【請求項１９】
ネットワークが前記所望の品質レベルで前記要求に適応できれば、ネットワークが所定の飽和量内になるまでユーザの平均データレート（ＡＤＲ）を選択的に増加させるステップをさらに含み、
所望のサービス種別は、高級、標準および割安のサービス種別を含み、前記選択的に減少させるステップは、前記要求に前記所望の品質レベルで適応できるまで選択された種別のユーザの平均データレート（ＡＤＲ）を減少させるステップを含む、請求項１８に記載の方法。
【請求項２０】
内容の種別は、声、データ、音楽、画像、および映像を含み、前記選択的に減少させるステップは、前記要求に前記所望の品質レベルで適応できるまで選択された内容の種別の平均データレート（ＡＤＲ）を選択的に減少させるステップを含む、請求項２０に記載の方法。
【請求項２１】
選択された種別のユーザは高級以外のユーザを含む、請求項１８に記載の方法。
【請求項２２】
前記選択的に増加させるステップは、すべてのユーザの平均データレート（ＡＤＲ）を増加させるステップを含む、請求項１９に記載の方法。
【請求項２３】
前記選択的に増加させるステップは、選択された種別のユーザの平均データレート（ＡＤＲ）を増加させるステップを含む、請求項１９に記載の方法。
【請求項２４】
前記選択的に増加させるステップは、選択された内容の部類の平均データレート（ＡＤＲ）を増加させるステップを含む、請求項１９に記載の方法。
【手続補正２】
【補正対象書類名】明細書
【補正対象項目名】０００５
【補正方法】変更
【補正の内容】
【０００５】
これに関連する問題として、利用可能な別個の動作モードの数が限られていることによる柔軟性の損失がある。この柔軟性の損失の結果、ユーザは上述のようにシステムへのアクセスを拒否される。さらにこの結果として収益の機会が失われることになるが、なぜなら、限られた数しかない別個の動作モードで利用可能であるよりも高いサービス品質のために出費を惜しまないユーザがいるであろうからである。
さらに米国特許第５，８５７，１４７号の文献に注目すると、ここでは基地局と複数の遠隔ユーザとの間の通信に関するデータレートを制御するための方法および装置が開示されている。順方向のライン資源であるか、逆方向のリンク資源であるかに拘わらず、通信資源の使用が測定される。測定された使用値は少なくとも１つの所定のしきい値と比較され、前記通信資源での通信または通信サブセットのデータレートが前記比較に従って変更される。
この発明に従い、請求項１に記載の柔軟な可変レートボコーダと、請求項１８に記載の、ネットワークサービスへの要求に対応する方法とが提供される。この発明の好ましい実施例は従属項に開示される。




【国際調査報告】
2004505545.tif 000023
2004505545.tif 000024